(57)【要約】【課題】この発明は、簡易な構成により安価かつ容易に、シート材の破断を検知して患者の服薬確認を行う。【解決手段】内容物Ｍが収容される空間をシート材２の内部に有し、該シート材２を破断することにより内容物Ｍを取り出すことができる収納袋１であって、シート材２には、破断する方向（矢印Ａ方向）と交差するように帯状又は線状の破断判別エリア５が形成され、破断判別エリア５は他の部分６と物理的性質が異なるように設けられる。【選択図】図１
2017056945.tif 000002
【特許請求の範囲】
【請求項１】
内容物が収容される空間をシート材の内側に有し、該シート材を破断することにより内容物を取り出すことができる収納袋であって、
前記シート材には、破断する方向と交差するように帯状又は線状の破断判別エリアが形成され、
前記破断判別エリアは他の部分と物理的性質が異なることを特徴とする収納袋。
【請求項２】
前記破断判別エリアの構成材は前記シート材と一体に形成されることを特徴とする請求項１に記載の収納袋。
【請求項３】
前記破断判別エリアの構成材は前記シート材と別体に形成され、該シート材の表面に密着されることを特徴とする請求項１に記載の収納袋。
【請求項４】
前記破断判別エリアは、前記破断の方向へ相互に間隔をおいて複数並べられた帯状領域により構成されたことを特徴とする請求項１〜３のいずれか１項に記載の収納袋。
【請求項５】
前記破断判別エリアは表裏で対をなす前記シート材の少なくとも一方側に形成されることを特徴とする請求項１〜４のいずれか１項に記載の収納袋。
【請求項６】
前記破断判別エリアは格子状に形成されることを特徴とする請求項１〜５のいずれか１項に記載の収納袋。
【請求項７】
前記破断判別エリアは互いに周波数の異なる第１破断判別エリアと第２破断判別エリアとから構成され、これら第１破断判別エリア及び第２破断判別エリアは、表裏で対をなす前記シート材の一方側及び他方側にそれぞれ配置されることを特徴とする請求項１〜４のいずれか１項に記載の収納袋。
【請求項８】
前記破断判別エリアは互いに周波数の異なる第１破断判別エリアと第２破断判別エリアから構成され、これら第１破断判別エリア及び第２破断判別エリアは、前記シート材の少なくとも一方側にて交互に配置されることを特徴とする請求項１〜４のいずれか１項に記載の収納袋。
【請求項９】
前記第１破断判別エリアと第２破断判別エリアとは、前記破断の方向へ相互に間隔をおいて複数並べられた帯状領域の相互間隔が互いに異なることを特徴とする請求項７または８のいずれか１項に記載の収納袋。
【請求項１０】
前記破断判別エリアは、他のエリアと密度、厚さ、素材の少なくともいずれかが異なることを特徴とする請求項１〜９のいずれか１項に記載の収納袋。
【請求項１１】
前記破断判別エリアは、他のエリアと強度が異なることを特徴とする請求項１〜１０のいずれか１項に記載の収納袋。
【請求項１２】
前記破断判別エリアを交差するように破断した際に発せられる破断音は、スマートフォン又はウェアラブル端末等の電子機器に内蔵される既存のマイクロフォンに検出可能な周波数帯域であることを特徴とする請求項１〜１１のいずれか１項に記載の収納袋。
【発明の詳細な説明】
【技術分野】
【０００１】
本発明は、薬、サプリメントなどの内容物を収納する収納袋に関する。
【背景技術】
【０００２】
病院や薬局などにおいては、薬ごとの個別の包装から、１回に服用すべき分の薬をまとめて袋詰めする一包化が進んでいる。
このように一包化された薬を患者が服用したか否かの確認は、患者の自己申告又は医師や看護師の聞き取り等によって行われていたが確実ではなく、近年、薬の飲み忘れを発生させないための様々な技術が提供されている。
【０００３】
例えば、特許文献１に示される開封検出シートは、包装材として用いられるシート本体と、該シート本体上に形成された複数の導線を有する導線部とを具備するものである。前記導線部を構成する複数の導線は、シート本体の開封に伴って断線され、この断線の有無を電気的に確認することによって服薬の確認を行うものである。
【０００４】
また、特許文献２に示される薬収納容器は、破断線に沿って封止部分が切離し可能な構成とされ、封止部分に非接触で読取が可能なＩＣチップが装着されたものである。該特許文献２では、被投薬者の腕に別途装着された被投薬者側ＩＣチップによって、容器側の封止部分にＩＣチップが存在しているか否かを検知することにより、該容器の開封がなされたか否かを判断するようにしている。
【先行技術文献】
【特許文献】
【０００５】
【特許文献１】特開２０１３−１６６５９０号公報
【特許文献２】特開２００５−８２２２３号公報
【発明の概要】
【発明が解決しようとする課題】
【０００６】
しかしながら、特許文献１に示される技術では、破断を検出するための導線を備えた基板をシート本体に設ける必要があり、再使用されないが故にコストダウンが求められる包装材のコストが高くなるという問題がある。また、導線を備えた包装材は、従来の紙や樹脂シートの生産するための既存の設備をそのまま使用することができないという問題がある。
一方、特許文献２に示される技術では、薬収納容器の封止部分にＩＣチップを装着し、かつ患者側にも検出センサとなる被投薬者側ＩＣチップを装着する必要があり、紙製の薬包紙を用いる場合に比してコストの高いＩＣチップ、及び通信システムが必要となるという問題がある。
【０００７】
この発明は、上述した事情に鑑みてなされたものであって、簡易な構成によって、シート材の破断を検知して患者の服薬確認を行うことが可能な収納袋を提供することを目的とする。
【課題を解決するための手段】
【０００８】
上記課題を解決するために、この発明は以下の手段を提案している。
本発明は、内容物が収容される空間をシート材の内部に有する収納袋であって、前記シート材には、破断する方向と交差するように帯状又は線状の破断判別エリアが形成され、前記破断判別エリアは他の部分と物理的性質が異なるように設けられることを特徴とする。
【発明の効果】
【０００９】
本発明によれば、安価な収納袋により、容易に患者の服薬確認を行うことが可能となる。
【図面の簡単な説明】
【００１０】
【図１】本発明に係る収納袋を示す斜視図である。
【図２】本発明の第１実施形態に係る収納袋を示す図であって、（Ａ）は平面図、（Ｂ）は（Ａ）のＢ−Ｂ線に沿う断面図である。
【図３】第１実施形態のシート材を製造するためのローラ装置を示す斜視図である。
【図４】本発明に係る収納袋を破断した場合の開封音を検知するためのシステム図である。
【図５】本発明の第２実施形態に係る収納袋を示す図であって、（Ａ）は平面図、（Ｂ）は（Ａ）のＢ−Ｂ線に沿う断面図である。
【図６】第２実施形態のシート材を製造するためのローラ装置を示す斜視図である。
【図７】本発明の変形例１に係る収納袋を示す図であって、（Ａ）は（Ｂ）のＡ−Ａ線に沿う断面図、（Ｂ）は表面側のシート表面を示す平面図、（Ｃ）は裏面側のシート表面を示す平面図である。
【図８】変形例１の第２例に係る収納袋を示す図であって、（Ａ）は（Ｂ）のＡ−Ａ線に沿う断面図、（Ｂ）は表面側のシート表面を示す平面図である。
【図９】本発明の変形例２に係る収納袋を示す図であって、（Ａ）は（Ｂ）のＡ−Ａ線に沿う断面図、（Ｂ）は表面側のシート表面を示す平面図である。
【図１０】本発明の変形例３に係る収納袋を示す平面図である。
【図１１】本発明の変形例４に係る収納袋を示す図であって、（Ａ）は表面側のシート表面を示す平面図、（Ｂ）は裏面側のシート表面を示す平面図である。
【図１２】変形例４の第２例に係る表面側のシート表面を示す平面図である。
【発明を実施するための形態】
【００１１】
本発明の実施形態について図１を参照して説明する。
図１に符号１で示されるものは本発明の最少構成の収納袋であって、２枚のシート材２の周縁部３が機械的にあるいは接着剤等を用いて貼り合わされた構造とされ、これらのシート材２の間に薬、サプリメント等の内容物Ｍが収容される内部空間４が形成されている。
収納袋１のシート材２は、例えば、矢印Ａで示す方向へ破断可能とされ、該破断により、内部空間４の一部を開口状態として、内容物Ｍを取り出しすることが可能になっている。
また、シート材２には、破断する方向（矢印Ａ方向）と交差するように帯状又は線状の破断判別エリア５が形成されている。
該破断判別エリア５は他の部分６と物理的性質が異なるように設けられている。
【００１２】
以上のように構成された収納袋１では、他の部分６と物理的性質が異なる破断判別エリア５と交差するように破断した場合に、特有な周波数の破断音が発せられる。
そして、この特有な破断音を、スマートフォン又はウェアラブル端末等の電子機器に内蔵される既存のマイクロフォンを利用してすることにより、患者が収納袋１を破ったか否かを容易に判別することができる。
また、このような薬の服用判別は、破断する方向（矢印Ａ方向）と交差するように帯状又は線状の破断判別エリア５をシート材２に形成した上で、この破断判別エリア５を破断した際に生じる特有の破断音を、既存のスマートフォン又はウェアラブル端末等で監視するだけで行うことができる。
この収納袋１が破断により特有の破断音を発することから、破断音を検出することによって、容易に患者の服薬確認を行うことが可能となる。
【００１３】
（第１実施形態）
本発明の第１実施形態について、図２〜図４を参照して説明する。
図２（Ａ）及び（Ｂ）に符号１０で示されるものは本発明の第１実施形態に係る収納袋であって、同形状に形成された２枚のシート材１１の周縁部１２が結合されて、内部に薬、サプリメント等の内容物Ｍが収容される内部空間１３が形成されている。
収納袋１０を構成するシート材１１は、矢印Ａで示すように一の周縁部１２に沿って破断可能とされ、該破断により、該シート材１１の内部空間１３を開口させて、内部に収容された内容物Ｍを取り出し可能になっている。
また、シート材１１には、破断する方向（矢印Ａ方向）と交差するように所定幅の帯状又は線状の破断判別エリア１４が複数形成され、これによって破断判別エリア１４が全体として縞状に形成されている。
【００１４】
これら破断判別エリア１４は、図２（Ａ）及び（Ｂ）に示されるように、一方のシート材１１の表面に該シート材１１と一体に形成されているものであって、図中水平方向に互いに間隔をおきかつ図中縦方向に沿い複数本配置されている。
なお、これら破断判別エリア１４をシート材１１の表面に一体形成する場合には、例えば、図３に示すように、一対のローラ５０，５１の一方側の外周面でかつ周方向に沿うように、凹状の溝５２を複数形成した上で、ローラ５０，５１を矢印ａ及びｂ方向にそれぞれ回転させることで、該ローラ５０，５１間にて、溶融して押出したシート材１１を型押しする。
【００１５】
そして、このようなローラ５０，５１の型押しにより、一方のシート材１１の表面に他の部分１５と物理的性質が異なる破断判別エリア１４が設けられる。
具体的には、本例の収納袋１０では、破断判別シート１４が配置されているシート材１１上のエリアが、該破断判別シート１４が配置されていない他の部分１５のエリアより大きな膜厚に形成されることで、破断に要する力や破断に際して発生する音の周波数や振幅に影響する物理的性質、例えば、厚さ、密度、単位面積当たりの重量等を異ならせて構成されている。
そして、収納袋１０のシート材１１が矢印Ａ方向に向かって、該シート１１上の破断判別エリア１４を横断するように破断された場合には、他の部分１５との物理的性質の相違に基づき、該破断判別エリア１４から他の部分とは異なる破断音が発せられる。
【００１６】
ここでの破断音は、破断判別エリア１４の配置間隔に対応した周期でかつ所定の振幅を有する周波数を有する特有の波形を有する。
また、この特有な破断音は、図４に示されるように、スマートフォン又はウェアラブル端末等の電子機器１６に内蔵される既存のマイクロフォン１６Ａを利用して検出されるものである。
【００１７】
電子機器１６は、音声を収集するマイクロフォン１６Ａと、機器の制御を行うための中央制御装置（以下ＣＰＵと称す）１６Ｂ、データを外部に送受信する通信手段１６Ｃを有するものであって、マイクロフォン１６Ａにより検出した音声は、内蔵のＣＰＵ１６Ｂに供給される。
このＣＰＵ１６Ｂは、破断音の周波数及びその波動の振幅から、患者が収納袋１０を破ってその内容物Ｍである薬を服用したか否かの有無を判断して、その結果を、内蔵の通信手段１６Ｃを通じて外部のサーバー１７にするものである。
そして、サーバー１７では、通信手段１６Ｃを経由して得た薬の服用情報を蓄積し、この蓄積した薬の服用情報を病院等からの要求に応じて出力することができる。
【００１８】
なお、上記実施形態の電子機器１６では、収納袋１０のシート材１１の破断を検出するための専用のアプリケーションを予めインストールして常駐させることで、２４時間、患者の服薬を検出することができる。
また、本実施形態では、電子機器１６のＣＰＵ１６Ｂにて破断音の周波数及びその波動の振幅から服薬の有無を判断したが、これに限定されず、ＣＰＵ１６Ｂでは通信手段１６Ｃを通じて音声データをサーバー１７に供給するだけとし、該サーバー１７や、さらにこのサーバー１７を経由して接続された医療機関の端末等にて、破断音の周波数及びその波動の振幅から服薬の有無を判断しても良い。
【００１９】
以上詳細に説明したように、第１実施形態に係る収納袋１０では、破断する方向（矢印Ａ方向）と交差するように一定幅の帯状又は線状の破断判別エリア１４をシート材１１上に複数形成したので、矢印Ａ方向に沿うシート材１１の開封がなされた場合に、物理的性質が異なる破断判別エリア１４から特有な周波数の破断音、換言すれば特有の周期で他の部分とは異なる破断音が発せられる。
そして、この破断音を、スマートフォン又はウェアラブル端末等の携帯端末１６に内蔵される既存のマイクロフォン１６Ａを利用して常時検出するようにすれば、患者が収納袋１０を破ってその内容物Ｍである薬を服用したか否かを容易に判別することができる。
また、このような薬の服用判別は、破断する方向（矢印Ａ方向）と交差するように破断判別エリア１４をシート材１１に形成した上で、この破断判別エリア１４を破断した際に生じる特有の破断音を、既存のスマートフォン又はウェアラブル端末等で監視するだけで行うことができる。
これによって上記収納袋１０では、安価かつ容易に患者の服薬確認を行うことが可能となる。
【００２０】
（第２実施形態）
本発明の第２実施形態について、図５及び図６を参照して説明する。
第２実施形態に示される収納袋２０が第１実施形態の収納袋１０と構成を異にするのは、帯状又は線状の破断判別エリア２１についての構成である。
すなわち、第２実施形態に示される破断判別エリア２１は、図５（Ａ）及び（Ｂ）に示されるように、一方のシート材２２の表面に密着しかつ該シート材２２と別体に設けられたものであって、図中水平方向に互いに間隔をおきかつ図中縦方向に沿い複数配置されている。
【００２１】
なお、これら破断判別エリア２１をシート材２２の表面に形成する場合には、例えば、図６に示されるように、ローラ６０，６１を矢印ａ及びｂ方向にそれぞれ回転させつつ、該ローラ６０，６１間にシート材２２とともに、別途の帯状又は線状の凸状材２３を供給することで、シート材２２上に該凸状材２３を密着及び積層させる。
そして、このような凸状材２３によってシート材２２上に破断判別エリア２１を形成するものである。
【００２２】
ここで、凸状材２３をシート材２２上に密着させる場合には、これら凸状材２３及びシート材２２を加熱溶融した状態で圧着する、又は接着剤により凸状材２３をシート材２２上に接着する。
なお、シート材２２上に積層する凸状材２３は、シート材２２と同じ材料であっても良いし、該シート材２２と異なる密度の材料を用いることで、開封時に、他の部分とは異なる周期の破断音を発生させても良い。
【００２３】
そして、以上のような収納袋２０では、破断判別シート２１が配置されるシート材２２上のエリアが、該破断判別シート２１が配置されていない他の部分１５のエリアより膜厚が大きく形成されることで、破断音に影響を与える物理的性質が相違するよう構成されている。
そして、収納袋２０のシート材２２が矢印Ａ方向に破断され、かつこのときに該シート２２上の破断判別エリア２１が横断するように破断された場合には、他の部分１５との物理的性質の相違に基づき該破断判別エリア２１から特有の周期で破断音が発せられる。
【００２４】
以上詳細に説明したように第２実施形態に係る収納袋２０では、第１実施形態と同様、破断する方向（矢印Ａ方向）と交差するように一定幅の帯状又は線状の破断判別エリア２１をシート材２２上に複数形成したので、袋開封時に矢印Ａ方向に沿うシート材２２の破断がなされた場合に、物理的性質が異なる破断判別エリア２１から特有の破断音が発せられることになる。なお破断判別エリアを構成する帯状または線状部分の形状は、図示の実施形態の如く直線に限られず、複数並べられた曲線の帯状または線状、のこぎり形の帯状または線状等であっても良い。
そして、この特有な破断音を、スマートフォン又はウェアラブル端末等の携帯端末１６に内蔵される既存のマイクロフォン１６Ａを利用して常時検出するようにすれば、患者が収納袋２０を破ってその内容物Ｍである薬を服用したか否かを容易に判別することができる。
また、このような薬の服用判別は、破断する方向（矢印Ａ方向）と交差するように帯状又は線状の破断判別エリア２１をシート材２２に形成した上で、この破断判別エリア２１を破断した際に生じる特有の破断音を、既存のスマートフォン又はウェアラブル端末等で監視するだけで行うことができる。
これによって上記収納袋２０では、安価かつ容易に患者の服薬確認を行うことが可能となる。
【００２５】
第１及び第２実施形態の収納袋１０，２０では、破断判別エリアの構成材をシート材１１，２２と一体又は別体に形成したが、これに加えて以下の変形例のようにしても良い。
【００２６】
（変形例１）
第１及び第２実施形態では、２枚のシート材１１，２２のいずれか一方側に破断判別エリア１４，２１を形成したが、２枚のシート材１１，２２の両側の表面（表側、裏側の２つの表面）に破断判別エリア１４，２１をそれぞれ形成しても良い。
このとき、変形例１では、図７に示されるように、２枚のシート材１１，２２の各側（表側、裏側）に形成する破断判別エリア１４，２１を、互いの設置間隔が異なるように２種類設定することにより、袋開封時に、異なる周波数の破断音を発生させても良い。
なお、図７において、周波数の異なる２種類の破断判別エリアを、第１破断判別エリア１４，２１及び第２破断判別エリア１４´，２１´で示す。
【００２７】
これにより、変形例１では、袋開封時に矢印Ａ方向に沿うシート材１１，２２の破断がなされた場合に、物理的性質が異なる２種類の破断判別エリア１４，２１及び破断判別エリア１４´，２１´から、より特有な周波数の破断音が発せられることになり、携帯端末１６を使用した薬の服用検知を確実に行うことが可能となる。
【００２８】
また、図７の変形例１に限定されず、図８に示されるように、一方の側（表側又は裏側）のシート材１１，２２の表面に、袋開封時に異なる周波数の破断音を発生させる２種類の破断判別エリア１４，２１及び破断判別エリア１４´，２１´を一定間隔で交互に設けても良い。
【００２９】
（変形例２）
変形例２の収納袋１０，２０では、図９に示されるように、凸状に形成された破断判別エリア１４，２１の内部にさらに物理的性質が異なる内部エリア２４が長さ方向に沿って設けられている。
この内部エリア２４は、例えば袋開封時に「プチプチ」と破裂音を発生可能な空気袋であっても、破断判別エリア１４，２１の構成素材とは密度、性質が異なる材料であっても良く、袋開封時に、特有な周波数の破断音が発せられるのであれば構成内容は限定されるものではない。
【００３０】
（変形例３）
変形例３の収納袋１０，２０では、シート材１１，２２を矢印Ａで示す方向に破断するに際して、図１０に示されるように、破断するラインに沿うようにミシン目が形成され、さらに破断線の端部に切込み３０が形成されている。
なお、本例に追加して、シート材１１，２２上にて、破断するラインの上側に「線に沿って切り取って下さい」との文字を入れて、収納袋１０，２０の利用者に破断位置を正しく認識させるようにしても良い。
【００３１】
（変形例４）
変形例４の収納袋１０，２０では、互いに直交する位置関係にある、上側又は側方側のいずれの側から破断可能とするために、図１１に示されるように、表側のシート材１１，２２の表面にて破断判別エリア１４，２１が縦方向に設けられ、かつ裏側のシート材１１，２２の表面にて破断判別エリア１４，２１が横方向に設けられている。
また、本例に限定されず、図１２に示されるように、シート材１１，２２の一方側（本例では表側）の表面にて、破断判別エリア１４，２１を縦方向及び横方向となる格子状に設けることにより、互いに直交する位置関係にある、上側又は側方側のいずれの側から収納袋１０，２０を破断可能としても良い。
【００３２】
以上、本発明の実施形態について図面を参照して詳述したが、具体的な構成はこの実施形態に限られるものではなく、本発明の要旨を逸脱しない範囲の設計変更等も含まれる。
また、上記実施形態、変形例に示した種々の例は、発明の要旨を逸脱しない範囲で適宜、組み合わせることが可能であることは当然である。
【産業上の利用可能性】
【００３３】
本発明は、薬、サプリメントなどの内容物を内部空間に収納する収納袋に関する。
【符号の説明】
【００３４】
１  収納袋
２  シート材
４  内部空間
５  破断判別エリア
６  他の部分
１０  収納袋
１１  シート材
１４  破断判別エリア
１５  他の部分
１６  電子機器
２０  収納袋
２１  破断判別エリア
２２  シート材
【図１】
2017056945.tif 000003
【図２】
2017056945.tif 000004
【図３】
2017056945.tif 000005
【図４】
2017056945.tif 000006
【図５】
2017056945.tif 000007
【図６】
2017056945.tif 000008
【図７】
2017056945.tif 000009
【図８】
2017056945.tif 000010
【図９】
2017056945.tif 000011
【図１０】
2017056945.tif 000012
【図１１】
2017056945.tif 000013
【図１２】
2017056945.tif 000014